(57)【要約】【課題】組電池の性能や寿命の劣化をより抑制することができる組電池を提供すること。【解決手段】組電池２０は、複数の単電池１０を電気的に並列に接続して構成される複数の電池ブロック１ａ〜１ｃを、電気的に直列に接続してなる。単電池１０全ては互いに並行に配列されている。そして、組電池２０における単電池の配列中心からの距離が近い順に、組電池２０の単電池１０をソートしたときに、その中間にある中間単電池１０ｃよりも配列中心からの距離が近い単電池１０を有する電池ブロック１ａは、中間単電池１０ｃよりも配列中心からの距離が遠い単電池１０を有する。【選択図】図６
2013008557.tif 000002
【特許請求の範囲】
【請求項１】
複数の単電池を電気的に並列に接続して構成される複数の電池ブロックを、電気的に直列に接続してなる組電池であって、
前記組電池の前記単電池全ては互いに並行に配列されており、
前記組電池における前記単電池の配列中心からの距離が近い順に、前記組電池の前記単電池をソートしたときに、その中間にある中間単電池よりも前記配列中心からの距離が近い前記単電池を有する前記電池ブロックは、前記中間単電池よりも前記配列中心からの距離が遠い前記単電池を有することを特徴とする組電池。
【請求項２】
前記配列中心から最も距離が近い前記単電池を有する前記電池ブロックは、前記配列中心から最も距離が遠い前記単電池を有することを特徴とする請求項１に記載の組電池。
【請求項３】
前記組電池における前記単電池の配列中心と前記単電池各々との距離を前記電池ブロック毎に合算した値の最大値と最小値との差が、最小となるように前記電池ブロック各々が構成されていることを特徴とする請求項１又は２に記載の組電池。
【請求項４】
前記組電池の前記単電池は、前記配列中心を通る基準線を基準として線対称に配列されており、
前記組電池は、任意の前記電池ブロックを構成する前記単電池各々と線対称となる複数の前記単電池から構成される電池ブロックを有していることを特徴とする請求項１〜３の何れか一項に記載の組電池。
【請求項５】
前記組電池の前記単電池は、前記配列中心を基準として回転対称に配列されており、
前記組電池は、任意の前記電池ブロックを構成する前記単電池各々と回転対称となる複数の前記単電池から構成される電池ブロックを有していることを特徴とする請求項１〜３の何れか一項に記載の組電池。
【発明の詳細な説明】
【技術分野】
【０００１】
本発明は、組電池に関する。
【背景技術】
【０００２】
複数の単電池を電気的に並列に又は直列に接続することで、高出力、高電気容量が得られる組電池が知られている。この種の組電池において、他の単電池と比して内部抵抗が高い、或いは電気容量が低い等の異常単電池が含まれていた場合、組電池の性能や寿命が著しく劣化する。
【０００３】
そこで、下記特許文献１に記載された組電池では、複数の単電池を電気的に並列に接続して構成される複数の電池ブロック（並列接続組）を電気的に直列接続している。これにより、組電池に異常単電池が含まれていたとしても、当該異常単電池は電池ブロック内において他の正常な単電池と電気的に並列に接続されており、内部抵抗や電気容量等が平均されるので、異常単電池による組電池の性能や寿命の劣化を抑制している。
【先行技術文献】
【特許文献】
【０００４】
【特許文献１】特開平８−２４１７０５号公報
【発明の概要】
【発明が解決しようとする課題】
【０００５】
ところで、組電池に用いられる単電池は、高温環境下では内部抵抗の上昇やサイクル特性の劣化が生じることが知られている。また、組電池の場合、各単電池の電池温度は配列位置によって異なり、例えば、組電池の外周付近に位置された単電池は他の単電池よりも低温となり、組電池の中央付近（配列中心付近）に位置された単電池は他の単電池よりも高温となる。
【０００６】
従って、特許文献１に記載された組電池において、電池ブロックの単電池全てが組電池の中央付近に配置されていた場合、この電池ブロックの単電池全てが、電池温度が高温であることに起因して異常単電池となる可能性がある。このように、特許文献１に記載された組電池において、電池ブロックの全てが異常単電池となる場合には、組電池の性能や寿命の劣化を抑制することができない。
【０００７】
本発明の目的は、組電池の性能や寿命の劣化をより抑制することができる組電池を提供することにある。
【課題を解決するための手段】
【０００８】
上記の課題を解決するために、本発明における組電池は、複数の単電池を電気的に並列に接続して構成される複数の電池ブロックを、電気的に直列に接続してなる組電池であって、前記組電池の前記単電池全ては互いに並行に配列されており、前記組電池における前記単電池の配列中心からの距離が近い順に、前記組電池の前記単電池をソートしたときに、その中間にある中間単電池よりも前記配列中心からの距離が近い前記単電池を有する前記電池ブロックは、前記中間単電池よりも前記配列中心からの距離が遠い前記単電池を有することを特徴とする。
【０００９】
上記の構成によれば、配列中心からの距離が近く、電池温度が高温となる単電池を有する電池ブロックは、配列中心からの距離が遠く、電池温度が低温となる単電池を有しているので、電池ブロックの単電池全てが、電池温度が高温であることに起因して異常単電池となる可能性を低減することができ、その結果、組電池の性能や寿命の劣化をより抑制することができる。
【００１０】
また、本発明において、前記配列中心から最も距離が近い前記単電池を有する前記電池ブロックは、前記配列中心から最も距離が遠い前記単電池を有していてもよい。上記の構成によれば、配列中心に最も近くに配列された電池温度が高い単電池を有する電池ブロックは、配列中心から最も遠くに配列された電池温度が低い単電池を有しているので、電池ブロックの単電池全てが異常単電池となる可能性をより低減することができ、その結果、組電池の性能や寿命の劣化をより抑制することができる。
【００１１】
本発明において、前記組電池における前記単電池の配列中心と前記単電池各々との距離を前記電池ブロック毎に合算した値の最大値と最小値との差が、最小となるように前記電池ブロック各々が構成されていてもよい。上記の構成によれば、電池ブロックを構成する全ての単電池が、組電池の外周付近や組電池の中央付近に配置されることはない。従って、電池ブロックの単電池全てが、電池温度が高温であることに起因して異常単電池となる可能性を低減することができるとともに、電池温度が低温であることに起因して異常単電池となる可能性も低減することができる。その結果、組電池の性能や寿命の劣化をより抑制することができる。
【００１２】
また、本発明において、前記組電池の前記単電池は、前記配列中心を通る基準線を基準として線対称に配列されており、前記組電池は、任意の前記電池ブロックを構成する前記単電池各々と線対称となる複数の前記単電池から構成される電池ブロックを有していてもよい。
【００１３】
また、本発明において前記組電池の前記単電池は、前記配列中心を基準として回転対称に配列されており、前記組電池は、任意の前記電池ブロックを構成する前記単電池各々と回転対称となる複数の前記単電池から構成される電池ブロックを有していてもよい。
【発明の効果】
【００１４】
組電池の性能や寿命の劣化をより抑制することができる。
【図面の簡単な説明】
【００１５】
【図１】本発明の第１実施形態に係る組電池と、組電池を収容する筐体の分解斜視図である。
【図２】図１に示す組電池の回路図である。
【図３】図１に示す組電池の、単電池の配列面に直交する方向から見た正面図である。
【図４】（ａ）は組電池の単電池の電池温度について説明する図であり、（ｂ）は組電池の単電池を配列中心から距離が近い順にソートした結果を示す図である。
【図５】組電池における電池ブロックの構成の参考例について説明する図である。
【図６】本発明の第１実施形態に係る組電池における電池ブロックの構成について説明する説明図である。
【図７】第１実施形態の変形例を説明する図である。
【図８】第２実施形態に係る組電池の回路図である。
【図９】第２実施形態に係る組電池の、単電池の配列面に直交する方向から見た正面図である。
【図１０】（ａ）は第２実施形態に係る組電池の電池ブロックの構成について説明する図であり、（ｂ）は組電池の単電池を配列中心から距離が近い順にソートした結果を示す図である。
【図１１】第３実施形態に係る組電池の回路図である。
【図１２】第３実施形態に係る組電池の、単電池の配列面に直交する方向から見た正面図である。
【図１３】（ａ）は第３実施形態に係る組電池の電池ブロックの構成について説明する図であり、（ｂ）は組電池の単電池を配列中心から距離が近い順にソートした結果を示す図である。
【図１４】変形例を説明する図である。
【発明を実施するための形態】
【００１６】
（第１実施形態）
以下、本発明の第１実施形態に係る組電池について図１〜７を参照しつつ説明する。
【００１７】
組電池２０は、図１に示すように筐体５０の内部に収容されている。また、組電池２０は、図２に示すように複数の円筒状の単電池１０を電気的に並列に接続して構成される複数の電池ブロック１を、電気的に直列に接続して構成されている。なお、本実施形態においては、組電池２０は、３つの電池ブロック１ａ〜１ｃを電気的に直列に接続して構成されている。また、各電池ブロック１ａ〜１ｃは、３個の単電池１０を電気的に並列に接続して構成されている。
【００１８】
単電池１０は、リチウムイオン電池等の非水系二次電池である。この単電池１０は、正極及び負極を有する電極体（不図示）と、電極体を収容する円筒状の電池外装部１２とを備えている。電極体の正極及び負極は、単電池外部に露出した正極端子１１ａ、及び負極端子１１ｂにそれぞれ接続されている。
【００１９】
筐体５０は、底板５１、一対の側板５２、上板５３、前板５４及び後板５５を組み合わせて構成される。前板５４及び後板５５それぞれには、各単電池１０の軸方向一端を保持する複数の爪６０が設けられている。各単電池１０は、前板５４及び後板５５の爪６０によって、その軸方向両端が保持されることで、隣接する単電池１０間で電池外装部１２を互いに接触させて並行に配列されている。即ち、各単電池１０はそれぞれの軸方向を一致させて平行に配列されている。本実施形態においては、組電池２０の単電池１０の配列面（ＸＹ平面）上において、９個の単電池１０が３行３列の格子状に配列されている。具体的には、上下３個の単電池１０が、図３中のＹ方向（行方向）に関して単電池の軸中心をそれぞれ一致させて配列されている。そして、この上下３個の単電池からなる単電池列が図３中のＹ方向（列方向）に３列配列されている。これにより、組電池２０は、配列面の外形が略正方形をなしている。以下においては、図３において左下に配列される単電池１０の座標（軸中心の座標）を（１，１）とし、単電池１０の直径を１に正規化したＸＹ座標系を用いて説明する。
【００２０】
ここで、組電池２０の充放電時において、単電池１０各々は熱を発生する。このため組電池２０の単電池１０の配列中心（以下、単に配列中心と称す）付近に位置された単電池１０は他の単電池よりも電池温度が高温となり、配列中心から組電池２０の外周に向かうに連れて電池温度は低温となる。なお、配列中心は、以下のように定義される。まず、組電池２０の外周を形成する単電池１０の軸中心を各隣接する単電池１０間で結んで形成される外周線Ｌとの最短距離Ｄが最も大きくなり、且つ、当該外周線Ｌにより囲まれる配列面上の点を最大距離点とする。本実施形態においては、外周線Ｌの軌跡は正方形となるため、最大距離点は配列面上において、図３に示すように１点のみとなる。この最大距離点を配列中心とする。この配列中心は、換言すれば、組電池２０において、単電池１０各々が発生する熱により最も温度が高くなる組電池２０内の点である。なお、後で図９を参照して説明するように、最大距離点が複数有り、これら複数の最大距離点の集合により最大距離線が形成される場合には、当該最大距離線の中心位置を配列中心とする。
【００２１】
本実施形態においては、配列中心は座標（２，２）となる。ここで、組電池２０の単電池１０を、この配列中心からの距離が近い順にソートすると、図４（ｂ）に示すようになる。なお、配列中心からの距離が同じ単電池は同じ順番とする。このようにしてソートされたソート順の中間にある単電池１０を、中間単電池１０ｃとする。本実施形態においては、図４（ａ），（ｂ）に示すように、座標（１，２）、（２，１）、（２，３）、（３，２）の単電池１０が中間単電池１０ｃとなる。
【００２２】
そして、この中間単電池１０ｃよりも配列中心に近い単電池１０を内側単電池、中間単電池１０ｃよりも配列中心から遠い単電池１０を外側単電池とする。換言すれば、ソート順が中間単電池１０ｃよりも前にある単電池１０を内側単電池、中間単電池１０ｃよりも後にある単電池１０を外側単電池とする。本実施形態においては、図４（ａ），（ｂ）に示すように座標（２，２）の単電池１０が内側単電池であり、座標（１，１）、（１，３）、（３，１）、（３，３）の単電池１０が外側単電池である。また、内側単電池である座標（２，２）の単電池１０は、配列中心から最も距離が近い単電池であり、組電池２０内において最も電池温度が高温となる単電池（以下、最高温単電池１０ａ）である。これに対して、外側単電池である座標（１，１）、（１，３）、（３，１）、（３，３）の単電池１０は、配列中心から最も距離が遠い単電池であり、組電池２０内において最も電池温度が低温となる単電池１０（以下、最低温単電池１０ｂ）である。なお、座標（１，２）、（２，１）、（２，３）、（３，２）の中間単電池１０ｃの電池温度は、最高温単電池１０ａの電池温度と最低温単電池１０ｂの電池との間の温度となる。
【００２３】
ここで、図５を参照して、本実施形態の組電池２０と同じく、配列面上において、９個の単電池１０が３行３列の格子状に配列されており、且つ３つの電池ブロック１ａ〜１ｃを電気的に直列に接続して構成される組電池１００について考える。また、この組電池１００の各電池ブロック１を構成する単電池１０それぞれは、図５に示すように組電池１００内において位置されていたとする。なお、図５中の単電池１０内に記された符号は、その単電池１０が構成する電池ブロック１を表す。従って、例えば、電池ブロック１ａは、座標（１，１）、（１，２）、（１，３）の３個の単電池１０を電気的に並列に接続して構成されている。
【００２４】
組電池１００において、電池ブロック１ｂは、１個の最高温単電池１０ａ、及び２個の中間単電池１０ｃから構成されており、最低温単電池１０ｂを有していないため、電池ブロック１ｂを構成する単電池１０全てが、電池温度が高温であることに起因して異常単電池となる可能性が高い。以上のように、組電池１００は、電池温度が高温であることに起因して、電池ブロック１ａ〜１ｃを構成する全ての単電池１０が異常単電池となる可能性が高いので、組電池の性能や寿命の劣化を充分に抑制することができない。
【００２５】
そこで、本実施形態においては、図６に示すように、内側単電池である最高温単電池１０ａを有する電池ブロック１ａは、外側単電池である最低温単電池１０ｂを有するように構成されている。これにより、電池ブロック１ａの単電池１０全てが、電池温度が高温であることに起因して異常単電池となる可能性を低減することができるので、その結果、組電池２０の性能や寿命の劣化をより抑制することができる。
【００２６】
ここで、組電池の単電池は、低温環境下では電圧降下や電池容量の低下が生じて異常単電池となる可能性があることが知られている。そこで、本実施形態の変形例として、電池温度が低温であることに起因して電池ブロックの単電池全てが異常単電池となる可能性を低減するために、図７に示す組電池２０ａのように、最高温単電池１０ａを有する電池ブロック１ａは、最低温単電池１０ｂを有するように構成するとともに、配列中心と単電池１０各々の軸中心との距離を電池ブロック１毎に合算した値（以下、電池ブロック合算距離）の最大値と最小値との差（以下、合算距離差）が、最小となるように電池ブロック１各々を構成してもよい。以下、具体的に説明する。図７に示す組電池２０ａにおいては、電池ブロック１ａの電池ブロック合算距離は、配列中心の座標（２，２）と、電池ブロック１ａを構成する各単電池１０の座標（１，１）、（２，２）、（３，３）との距離を合算した２√２（＝√２＋０＋√２）となる。同様に電池ブロック１ｂ，１ｃの電池ブロック合算距離はそれぞれ、２＋２√２、２＋√２となる。従って、合算距離差は２−√２（＝（２＋√２）−（２√２））となる。この合算距離差である２−√２は、電池ブロック１ａ〜１ｃを、それぞれ他の単電池１０を組み合わせて構成した場合における合算距離差よりも小さくされている。こうすることにより、組電池２０ａを構成する電池ブロック１のうち、特定の電池ブロック１が他の電池ブロック１に比して、電池ブロック１の単電池１０全てが、電池温度が高温であること又は低温であることに起因して異常単電池となる可能性が高くなることを低減することができる。
【００２７】
具体的に図６に示す組電池２０と、図７に示す組電池２０ａを比較して説明する。なお、図６に示す組電池２０においては、合算距離差は１（＝（２＋√２）−（１＋√２））であるため、組電池２０ａの合算距離差よりも大きくなっている。
【００２８】
図６及び図７に示すように、組電池２０及び２０ａには、最低温単電池１０ｂを２個含む電池ブロック１をそれぞれ１つずつ有している。そして、図７に示す組電池２０ａにおいては、最低温単電池１０ｂを２個有する電池ブロック１ａは、この２個の最低温単電池１０ｂと１個の最高温単電池１０ａから構成されている。一方、図６に示す組電池２０においては、最低温単電池１０ｂを２個有する電池ブロック１ｂは、この２個の最低温単電池１０ｂと１個の中間単電池１０ｃから構成されている。従って、最低温単電池１０ｂを２個含む電池ブロック１の単電池１０全てが、電池温度が低温であることに起因して異常単電池となる可能性は、組電池２０ａの方が組電池２０と比べて低い。
【００２９】
同様に、図６及び図７に示すように、組電池２０及び２０ａには、最高温単電池１０ａを１個含む電池ブロック１をそれぞれ１つずつ有している。そして、図７に示す組電池２０ａにおいては、最高温単電池１０ａを有する電池ブロック１ａは、２個の最低温単電池１０ｂと１個の最高温単電池１０ａから構成されている。一方、図６に示す組電池２０においては、最高温単電池１０ａを１個有する電池ブロック１ａは、１個の最高温単電池１０ａと、１個の最低温単電池１０ｂと、１個の中間単電池１０ｃから構成されている。従って、最高温単電池１０ａを１個含む電池ブロック１の単電池１０全てが、電池温度が高温であることに起因して異常単電池となる可能性は、組電池２０ａの方が組電池２０と比べて低い。
【００３０】
このように、配列中心と単電池１０各々の軸中心との距離を電池ブロック１毎に合算した電池ブロック合算距離の合算距離差が、最小となるように電池ブロック１各々を構成することにより、組電池２０ａを構成する電池ブロック１のうち、特定の電池ブロック１が他の電池ブロック１に比して、電池ブロック１の単電池１０全てが、電池温度が高温であること又は低温であることに起因して異常単電池となる可能性が高くなることを低減することができる。これにより、組電池の性能や寿命の劣化をより抑制することができる。
【００３１】
（第２実施形態）
次に、第２実施形態について図８〜１０を参照して説明する。第２実施形態において第１実施形態と主に異なる点は、図８に示すように、組電池２５が、５個の単電池１０を電気的に並列に接続して構成される６つの電池ブロック２（２ａ〜２ｆ）を電気的に直列に接続されたものである点である。以下においては、上述した第１実施形態と同一の箇所については同一の符号を付し、その説明を適宜省略する。
【００３２】
本実施形態においては、図９に示すように、組電池２５の単電池１０の配列面上において、３０個の単電池１０が５行６列の格子状に配列されている。具体的には、上下５個の単電池１０が、図９中のＹ方向（行方向）に関して単電池の軸中心をそれぞれ一致させて配列されている。そして、この上下５個の単電池からなる単電池列が図９中のＹ方向（列方向）に６列配列されている。これにより、組電池２５は、配列面の外形が略長方形をなしている。また、単電池１０それぞれは、配列中心を通る基準線（Ｘ＝３．５）を基準として線対称に配列されている。
【００３３】
本実施形態における配列中心は以下のように定義される。図９に示すように、外周線Ｌの軌跡は長方形となるため、最大距離点が複数有り、これら複数の最大距離点の集合により最大距離線が形成される。具体的には、座標（３，３）から座標（４，３）を直線で結ぶ最大距離線が形成される。このように最大距離線が形成される場合には、配列中心を、最大距離線の中心位置とする。本実施形態においては、配列中心は座標（３．５，３）となる。従って、図１０（ａ）に示すように、配列中心に最も近くに位置される座標（３，３）、（４，３）の２個の単電池１０が最高温単電池１０ａとなり、配列中心から最も遠くに位置される座標（１，１）、（１，５）、（６，１）、（６，５）の４個の単電池１０が最低温単電池１０ｂとなる。
【００３４】
ここで、組電池２５の単電池１０を、上述した実施形態と同様に、この配列中心からの距離が近い順にソートすると、図１０（ｂ）に示すようになる。なお、配列中心からの距離が同じ単電池１０間において、各単電池１０に最も近い最高温単電池１０ａからの距離に差がある場合には、最高温単電池１０ａからの距離が近い方の単電池１０が先となるようにソートする。具体的には、例えば座標（１，３）の単電池１０と、座標（２，１）の単電池１０とは配列中心からの距離は等しいが、座標（１，３）の単電池１０の方が、座標（３，３）の最高温単電池１０ａからの距離が近いので、図１０（ｂ）に示すように、座標（１，３）の単電池１０が座標（２，１）の単電池１０よりも先となるようにソートする。このようにしてソートされたソート順の中間にある単電池１０を、中間単電池１０ｃとする。本実施形態においては、図１０（ａ），（ｂ）に示すように、座標（３，１）、（３，５）、（４，１）、（４，５）の単電池１０が中間単電池１０ｃとなる。
【００３５】
そして、上述した実施形態と同様、この中間単電池１０ｃよりも配列中心に近い単電池１０を内側単電池、中間単電池１０ｃよりも配列中心から遠い単電池１０を外側単電池とする。
【００３６】
組電池２５は、この内側単電池を有する電池ブロック２が、外側単電池を有するように構成されている。例えば、座標(４，４)、（５，２）の内側単電池を有する電池ブロック２ｃは、座標（１，５）の外側単電池を有するように構成されている。これにより、配列中心からの距離が近い内側単電池の電池温度と、配列中心からの距離が遠い外側単電池の電池温度は異なっているので、電池ブロックの単電池全てが異常単電池となる可能性を低減することができ、その結果、組電池の性能や寿命の劣化をより抑制することができる。
【００３７】
また、組電池２５は、各電池ブロック２を構成する単電池１０各々と線対称となる単電池１０から構成される電池ブロック２を有するようにされている。具体的には、例えば、電池ブロック２ａを構成する座標（２，１）、（３，３）、（５，４）、（６，１）、（６，３）の単電池１０は、電池ブロック２ｂを構成する（５，１）、（４，３）、（２，４）、（１，１）、（１，３）の単電池１０とそれぞれ基準線（Ｘ＝３．５）を基準として線対称となっている。これにより、電池ブロック２ａを構成する各単電池１０の電池温度と、電池ブロック２ｂを構成する各単電池１０の電池温度とを略等しくすることができる。同様に、電池ブロック２ｃと２ｄ間、及び電池ブロック２ｅと２ｆ間において、それぞれを構成する単電池１０同士が線対称となっている。
【００３８】
またさらに、組電池２５は、配列中心から最も距離が近い最高温単電池１０ａを有する電池ブロック２ａ，２ｂは、配列中心から最も距離が遠い最低温単電池１０ｂを有し、且つ、配列中心と単電池１０各々の軸中心との距離を電池ブロック２毎の電池ブロック合算距離の合算距離差が、最小となるように電池ブロック２各々が構成されている。これにより、電池ブロック２の単電池１０全てが異常単電池となる可能性をより低減することができ、その結果、組電池２５の性能や寿命の劣化をより抑制することができる。
【００３９】
（第３実施形態）
次に、第３実施形態について図１１〜１３を参照して説明する。第３実施形態において第１実施形態と主に異なる点は、図１１に示すように、組電池３０が、４個の単電池１０を電気的に並列に接続して構成される４つの電池ブロック３（３ａ〜３ｄ）を電気的に直列に接続されたものである点である。以下においては、上述した第１実施形態と同一の箇所については同一の符号を付し、その説明を適宜省略する。
【００４０】
本実施形態においては、図１２に示すように、組電池３０の単電池１０の配列面上において、１６個の単電池１０が４行４列の格子状に配列されている。具体的には、上下４個の単電池１０が、図１１中のＹ方向（行方向）に関して単電池の軸中心をそれぞれ一致させて配列されている。そして、この上下４個の単電池からなる単電池列が図１１中のＹ方向（列方向）に４列配列されている。これにより、組電池３０は、配列面の外形が略正方形をなしている。また、単電池１０それぞれは、組電池２５の単電池の配列中心を基準として４回対称の回転対称に配列される。
【００４１】
本実施形態における配列中心は、図１２に示すように座標（２．５，２．５）となる。ここで、組電池３０の単電池１０を、上述した実施形態と同様に、この配列中心からの距離が近い順にソートすると、図１３（ｂ）に示すようになる。そして、ソートされたソート順の中間にある単電池１０を、中間単電池１０ｃとする。本実施形態においては、図１３（ａ），（ｂ）に示すように、座標（１，２）、（１，３）、（２，１）、（２，４）、（３，１）、（３，４）、（４，２）、（４，３）の単電池１０が中間単電池１０ｃとなる。従って、図１３に示すように、配列中心から最も距離が近い座標（２，２）、（２，３）、（３，２）、（３，３）の４個の単電池１０が内側単電池である最高温単電池１０ａとなり、配列中心から最も距離が遠い座標（１，１）、（１，４）、（４，１）、（４，４）の４個の単電池１０が外側単電池である最低温単電池１０ｂとなる。
【００４２】
組電池３０の電池ブロック３において、最高温単電池１０ａを有する各電池ブロック３ａ〜３ｄは、最低温単電池１０ｂを有するように構成されている。また、各電池ブロック３ａ〜３ｄは互いに４回対称の回転対称となるように構成されている。具体的には、例えば、電池ブロック３ａを構成する座標（４，１）の単電池１０は、電池ブロック３ｂを構成する（１，１）の単電池１０、電池ブロック３ｃを構成する（１，４）の単電池１０、電池ブロック３ｄを構成する（４，４）の単電池１０とそれぞれ回転対称となっている。またさらに、配列中心と単電池１０各々の軸中心との距離を電池ブロック３毎の電池ブロック合算距離の最大値と最小値との差が、最小となるように電池ブロック３各々が構成されている。これにより、電池ブロックの単電池全てが異常単電池となる可能性を低減することができ、その結果、組電池の性能や寿命の劣化をより抑制することができる。
【００４３】
またさらに、電池ブロック３ａ〜３ｄは、配列中心を通るＸ方向に延びる線、及び配列中心を通るＹ方向に延びる線により区分される、互いに回転対称である領域Ａ〜Ｄそれぞれに位置される単電池１０を含んでいる。例えば、電池ブロック３ａは、領域Ａの座標（２，３）、領域Ｂの座標（４，３）、領域Ｃの座標（２，１）、領域Ｄの座標（４，１）に位置される単電池１０から構成されている。これにより、これら４つの領域のうち一部の領域のみ、外部からの熱影響等により、他の領域と比して低温又は高温となる際において、各電池ブロック３が1つの領域に位置される単電池１０のみにより構成されている場合と比べて、電池ブロック３の単電池１０全てが異常単電池となる可能性をより低減することができる。
【００４４】
以上、本発明の実施形態について説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００４５】
例えば、上述の実施形態において、組電池の単電池は、組電池の配列面の外形が略正方形状又は略長方形状をなすように配列されているが、単電池全てが互いに並行に配列されているのであれば特にこれに限定されるものではない。例えば、単電池１０が配列面において六方最密充填により配列されていてもよい。また、外周線Ｌの軌跡が円や、図１４の組電池３５に示すようにｎ角形（ｎは３以上の整数）を形成するように組電池３０の単電池１０が配列されていてもよい。なお、図１４に示す組電池３５においては、座標（３,３）の単電池１０が最高温単電池１０ａとなり、座標（６，１）の単電池１０が最低温単電池１０ｂとなる。
【００４６】
また、上述の実施形態においては、単電池１０は円筒状の電池であるが、特にこれに限定されるものではなく、直方体状の電池でもよい。
【符号の説明】
【００４７】
１、２、３  電池ブロック
１０  単電池
２０、２０ａ、２５、３０、３５  組電池
【図１】
2013008557.tif 000003
【図２】
2013008557.tif 000004
【図３】
2013008557.tif 000005
【図４】
2013008557.tif 000006
【図５】
2013008557.tif 000007
【図６】
2013008557.tif 000008
【図７】
2013008557.tif 000009
【図８】
2013008557.tif 000010
【図９】
2013008557.tif 000011
【図１０】
2013008557.tif 000012
【図１１】
2013008557.tif 000013
【図１２】
2013008557.tif 000014
【図１３】
2013008557.tif 000015
【図１４】
2013008557.tif 000016